(57)【特許請求の範囲】
【請求項１】
止水面の両側に立設された一対のガイド体と、
前記ガイド体間の路面に埋設された格納室と、
略水平状態で前記格納室に格納される格納姿勢と、前記止水面に対応してガイド間で略起立状態となる使用姿勢との間で、前記止水面および路面に平行な軸心周りに円弧方向に開閉移動自在な止水扉と、
前記ガイド体と格納室とにわたって形成されて開閉移動時に止水扉を案内する扉ガイド手段とを具備した
ことを特徴とする格納式止水扉装置。
【請求項２】
扉ガイド手段は、ガイド体および格納室の内側部と止水扉の左右側部の一方に、円弧方向に沿って形成されたガイド凹部と、他方に設けられて該ガイド凹部に案内される被ガイド部材とを具備し、
前記止水扉の左右側部の開閉移動を互いに同調させる開閉同調機構を設け、
使用姿勢で止水扉を掛止するロック機構を設けた
ことを特徴とする請求項１記載の格納式止水扉装置。
【請求項３】
止水扉を扉ガイド手段を介して開閉移動させる開閉駆動装置を設けた
ことを特徴とする請求項１または２記載の格納式止水扉装置。
【発明の詳細な説明】
【０００１】
【発明の属する技術分野】
本発明は、高潮や洪水などでオーバーフローした水による建物や構造物、道路などの浸水や冠水を防止する格納式止水扉装置に関する。
【０００２】
【従来の技術】
たとえば集中豪雨などで河川から氾濫した水は、堤防より低位となる橋梁の接続部（出入り口）などを通って流入し道路などが冠水される。また河川からの氾濫や高潮などにより道路に冠水した水は、道路に通じる出入り口を介して地下施設に流入し浸水する。
【０００３】
このため、冠水や浸水の防止策として、流入しやすい低位部分や施設の出入口に土嚢を積む作業が行われる。
【０００４】
【発明が解決しようとする課題】
このように土嚢を使用する場合には、その準備作業や設置作業が重労働となり、時間的な余裕も必要となる。
【０００５】
また出入口などでは、止水用の扉を設置することも考えられるが、扉の容積や重量も大きく、通常時に扉を保管する保管場所も大きく必要であり、また扉の開閉に大きい動力が必要になることが多い。
【０００６】
本発明は上記問題点を解決して、保管場所も不要で、開閉動力も小さくて済む格納式止水扉装置を提供することを目的とする。
【０００７】
【課題を解決するための手段】
上記目的を達成するために請求項１記載の発明は、止水面の両側に立設された一対のガイド体と、前記ガイド体間の路面に埋設された格納室と、略水平状態で前記格納室に格納される格納姿勢と、前記止水面に対応してガイド間で略起立状態となる使用姿勢との間で、前記止水面および路面に平行な軸心周りに円弧方向に開閉移動自在な止水扉と、前記ガイド体と格納室とにわたって形成されて開閉移動時の止水扉を案内する扉ガイド手段とを具備したものである。
【０００８】
上記構成によれば、格納室に水平状態で格納される格納姿勢から略起立状態の使用姿勢に閉止方向に移動させる場合、止水扉を開閉軸心を中心とした円弧方向に沿って略水平状態から起立状態に変向して持ち上げるので、駆動力が小さくても容易に起動できて、水平方向から勢いを付けて使用姿勢まで持ち上げることができる。したがって、手動であっても、ある程度の大きさの止水扉まで容易に扱うことができ、たとえば手動式で止水扉の基端部を水平軸心周りに倒伏状態から起立時様態に回動して開閉する従来式の止水扉に比較して、重量のある大きな止水扉が開閉可能となる。
【０００９】
また止水扉を、路面に埋設設置された格納室内に水平状態で収容するので、保管場所が不要となり、たとえば垂直軸心周りに回動させて開閉する従来式の止水扉に比較して、コンパクトに構成することができる。
【００１０】
請求項２記載の発明は、請求項１記載の構成において、扉ガイド手段は、ガイド体および格納室の内側部と止水扉の左右側部の一方に、円弧方向に沿って形成されたガイド凹部と、他方に設けられて該ガイド凹部に案内される被ガイド部材とを具備し、前記止水扉の左右側部の開閉移動を互いに同調させる開閉同調機構を設け、使用姿勢で止水扉を掛止するロック機構を設けたものである。
【００１１】
上記構成によれば、開閉同調機構により、扉ガイド手段を介して開閉移動する止水扉の傾きを防止してスムーズに開閉移動させることができる。
請求項３記載の発明は、請求項１または２記載の構成において、止水扉を扉ガイド手段を介して開閉移動させる開閉駆動装置を設けたものである。
【００１２】
上記構成によれば、開閉駆動装置により、大型の止水扉であっても、容易に開閉移動することができ、閉動するための起動時の動力を小さくできるので、駆動源の容量も少なくて済む。
【００１３】
【発明の実施の形態】
ここで、本発明に係る格納式止水扉装置の第１の実施の形態を図１〜図６に基づいて説明する。
【００１４】
図６（ａ）（ｂ）に示すように、この止水扉装置１は、たとえば河川２の両側に設置される防水堤防３で一部が通行などのために切り欠かかれて低位となった部位、たとえば橋梁４の連結部などに設置されたり、または地下駐車場や広場などの出入り口などに設置されるもので、洪水や高潮により冠水や浸水の恐れがある場合に止水扉装置１を作動して接続部や出入り口を締め切るように構成される。
【００１５】
この止水扉装置１は、図１〜図５に示すように、接続部の路面１０に埋設された格納ボックス１１により形成された格納室１２と、この格納室１２内に略水平状態の格納姿勢で格納される止水扉１３と、格納室１２の前部に幅方向に沿って形成された出し入れ口１４と、この出し入れ口１４の両側にそれぞれ立設配置されたガイド体１５と、格納室１２の後部を覆う後部閉鎖板１７と、出し入れ口１４の前部を覆う開閉蓋１８とを具備し、手動により止水扉１３を開閉するものである。
【００１６】
前記止水扉１３は、開閉される回動方向に沿う円弧状底板１３ａと略平面状の上面１３ｂとで円弧形断面に形成され、上面１３ｂには格納室１２の上面を覆う後部閉鎖板１７および開閉蓋１８の間に段部を介して路面を形成する路面部１３ｃが形成されている。また、ガイド体１５の内面および格納ボックス１２の内側壁には、ガイド手段であるガイド凹部１６Ａ，１６Ｂがそれぞれ連続して形成されており、ガイド凹部１６Ａ，１６Ｂに形成されたローラ走行部１６ａ，１６ｂに、止水扉１３の両側部の前後に取り付けられたガイド手段であるガイドローラ（被ガイド部材）２１ａ，２１ｂがそれぞれ転動自在に嵌合されている。また、開閉蓋１８は、前縁部が複数のヒンジ１８ａを介して出し入れ口１４を開閉自在に被っている。そして、止水扉１３は、ガイド凹部１６Ａ，１６Ｂおよびガイドローラ２１ａ，２１ｂからなる手動式の扉ガイド手段により、ガイド体１５間の止水面ＳＦおよび路面１０に平行な開閉軸心Ｏを中心に、出し入れ口１４を介して格納姿勢と使用姿勢との間で回動自在に配置される。１３ｄは止水扉１３の前部の上面および底面に設けられた開閉用の把手である。
【００１７】
また扉開閉装置２０には、止水扉１３の左右側部の開閉移動を同調させるために開閉同調機構２２が設けられており、この開閉同調手段２２は、格納室１２の左右のガイド凹部１６Ｂにそれぞれ設けられたガイド部材であるピンラック２２ａまたはチェーンと、止水扉１３の後部左右側面にそれぞれ回転自在に支持されてピンラック２２ａに噛み合う被ガイド部材であるピニオン２２ｂと、左右のピニオン２２ｂを連結する同調軸２２ｃにより構成され、これにより止水扉１３をスムーズに開閉移動させることができる。
【００１８】
さらに止水扉１３には、使用姿勢で止水扉１３を掛止するロック機構２３が設けられており、このロック機構２３は、たとえば図４に示すように、止水扉１３の前部で左右側面に突設されたラッチ２３ａと、ガイド体１５のガイド溝１６Ａの上部にピン２３ｃを介して回動可能に取り付けられたキャッチレバー２３ｂとを具備し、止水扉１３が閉動される時にコイルばねにより止水扉１３側に回動付勢されたキャッチレバー２３ｂをラッチ２３ａが押して通過させることにより、下降する止水扉１３のラッチ２３ａをキャッチレバー２３ｂにより掛止して止水扉１３を使用姿勢で固定することができる。
【００１９】
さらにまた、止水扉１３の円弧状底板１３ａには、左右両縁部に沿って水密ゴムなどからなる側部シール材２４Ｒ，２４Ｌと下部シール材２４Ｕがそれぞれ突設されており、扉開閉装置２０により、使用姿勢でシール材２４Ｒ，２４Ｌをガイド凹部１６Ａの前面に形成されたシール面２４Ｃに圧接するとともに、下部シール材２２Ｕを格納室１２の前部傾斜シール壁２４Ｂに圧接する加圧シール手段が設けられている。すなわち、図５に示すように、加圧シール手段は扉開閉装置２０のガイド凹部１６Ａに形成されたローラ走行部１６ａ，１６ｂに、使用姿勢で外周側にガイドローラ２１ａ，２１ｂを変位させる押圧用テーパ部１６ｃ，１６ｄが形成されて構成され、これにより止水扉１３を使用姿勢まで閉止移動させることで、ガイドローラ２１ａ，２１ｂが押圧用テーパ部１６ｃ，１６ｄに達することで、止水扉１３が外周側に変位されてシール材２４Ｒ，２４Ｌ，２４Ｕがそれぞれシール面１６Ｃおよびシール壁１２Ｃに押付けられシールされる。
【００２０】
上記構成において、この止水扉装置１を使用する場合には、図１（ａ），図２に示す格納姿勢において開閉蓋１８を開け、止水扉１３の把手１３を掴んで上方に引き上げ閉止移動させることで、ガイドローラ２１ａ，２１ｂがガイド凹部１６Ａ，１６Ｂのローラ走行部１６ａ，１６ｂに案内されて止水扉１３が開閉軸心Ｏを中心とする円弧方向に沿って引き出される。そして図１（ｂ），図３に示す使用姿勢に達すると、止水扉１３のラッチ２３ａがキャッチレバー２３ｂを押して通過し、これにより使用姿勢で止水扉１３が使用姿勢で固定される。この時、ガイドローラ２１ａ，２１ｂが押圧用テーパ部１６ｃ，１６ｄに達することで、止水扉１３が外周側に変位されてシール材２４Ｒ，２４Ｌ，２４Ｕがそれぞれシール面１６Ｃおよびシール壁１２Ｃに押付けられシールされる。
【００２１】
使用後は、止水扉１３を僅かに持ち上げてキャッチレバー２３ｂを外し、使用姿勢から円弧方向に沿って出し入れ口１４から格納室１２内に開放方向に下降させて格納する。
【００２２】
上記実施の形態によれば、格納室１２に水平状態で格納される格納姿勢から略起立状態の使用姿勢まで閉動させる場合、止水扉１３を開閉軸心Ｏを中心とした円弧方向に沿って略水平状態から起立状態に変向して持ち上げるので、起動力が小さくても起動でき、これにより水平方向から勢いを付けて使用姿勢まで持ち上げることが可能となる。したがって、手動によりある程度の大きさの止水扉１３まで扱うことができ、水平軸心周りに起立（倒伏）させて開閉する従来の止水扉に比較して、小さな腕力で大きな止水扉１３を開閉することができる。
【００２３】
また止水扉１３は、路面１０に埋設された格納室１２内に水平状態で収容されるので、保管場所が不要となり、垂直軸心周りに回動させて開閉する従来式の止水扉に比較して、コンパクトに構成することができる。
【００２４】
なお、止水扉１３を手動で引き上げる手動式を改良して、手動ウインチなどを使用して止水扉１３を開閉移動させることもできる。
次に図７（ａ）（ｂ）を参照して、自動式の止水扉装置３１の第２の実施の形態について説明する。なお、第１の実施の形態と同一部材には同一の符号を付して説明を省略する。
【００２５】
大型の止水扉１３を具備した止水扉装置３１に関するもので、開閉駆動装置３２が格納室１２内に設けられている。
この開閉駆動装置３２は、メンテナンスが容易なエアシリンダ、水道水圧シリンダ油圧シリンダなどのシリンダ装置３３を駆動源とし、このシリンダ装置３３による直線駆動力を回転駆動力に変換する動力変換機構３４と、動力変換機構３４により得られた回転駆動力を左右に分配する動力分配機構３５と、動力分配機構３５により分配された動力により止水扉１３を駆動する左右の扉駆動機構３６Ｒ，３６Ｌとで構成されている。
【００２６】
動力変換機構３４は、左右一対のスプロケット３４ａ，３４ｂ間に巻張されたチェーン３４ｃにより構成され、幅方向に設置されたシリンダ装置３３の出力ロッド３３ａがチェーン３４ｃの一端に連結され、スプロケット３４ａの出力軸３４ｄから回転駆動力が取り出される。
【００２７】
動力分配機構３５は、スプロケット３４ａの駆動軸３４ｄは、ベベルギヤ３５ａを介して幅方向の分配軸３５ｂに連結連動され、この分配軸３５ｂの両端部に設けられたスプロケットとチェーンからなるチェーン機構３５ｃ，３５ｄを介して左右の扉駆動機構３６Ｒ，３６Ｌに動力伝達される。３５ｅは、ベベルギヤ３５ａが中心位置に配置されていないために生じる分配軸３５ｂのねじりをコイルばねにより解消するためのねじり解消部材である。
【００２８】
扉駆動機構３６Ｒ，３６Ｌは、格納室１２の左右前部で、チェーン機構３５ｃ，３５ｄにより回転駆動される伝動軸３６ａに取り付けられた開閉ピニオン（または鎖車）３６ｂと、止水扉１３の左右側面に底面に沿って円弧方向に取り付けられた円弧状ラック（またはピンラック、チェーン）３６ｃとで構成される。
【００２９】
したがって、止水扉装置３１近傍まで搬送したコンプレッサユニットや油圧ユニットなどの駆動源供給装置から、図示しない接続ソケットを介して駆動流体を供給してシリンダ装置３３を伸縮させることにより、動力変換機構３４のチェーン３４ｃを駆動してスプロケット３４ａを介して出力軸３４ｄを回転させ、出力軸３４ｄの回転を、動力分配機構３５のヘベルギヤ３５ａから分配軸３５ｂに伝達してチェーン機構３５ｃ，３５ｄにより扉駆動機構３６Ｒ，３６Ｌの伝動軸３６ａを回転させ、開閉ピニオン３６ｂと受動ラック３６ｃにより止水扉１３を円弧方向に開閉駆動することができる。
【００３０】
また第１の実施の形態の押圧用テーパ部１６ｃ，１６ｄに代えて、ガイドローラ２１ａ，２１ｂにそれぞれねじ式の加圧シール装置３７が設けられており、ハンドル３７ａによりねじ軸３７ｂを回転し軸受を介してガイドローラ２１ａ，２１ｂを内周側に引き出し、ガイドローラ２１ａ，２１ｂをローラ走行部１６ａ，１６ｂの内周面に当て付ける反力により、止水扉１３を外周側に押出して、シール材２４，２４Ｌ，２４Ｕをそれぞれシール面１６Ｃおよびシール壁１２Ｃに押付けることができる。なお、ハンドル３７ａは着脱式に構成してもよい。
【００３１】
上記実施の形態によれば、止水扉１３を開閉駆動装置３２により自動的に開閉することができるので、大型の止水扉１３を採用することができ、広範囲の止水が可能となる。また駆動源に流体圧シリンダ装置３３を採用することにより、メンテナンスを容易化することができ、簡易なコンプレッサユニットや油圧ユニットを現場に搬送することで、容易に止水扉１３を開閉することができる。なお、駆動流体を圧縮空気とした場合、止水扉１３の自重による開放移動が可能となるので、コンプレッサユニットは不要となる。
【００３２】
図８は、第２の実施の形態の変形例を示し、格納室１２内に止水扉１３を直接駆動するシリンダ装置４１を設けたもので、収縮時の全長を短縮するためにテレスコピック式のシリンダ装置４１が採用されている。
【００３３】
すなわち、シリンダ装置４１のシリンダチューブ４１ａが止水扉１３の後部に水平ピンを介して回動自在に装着され、出力ロッド４１ｂの駆動端が格納ボックス１２の後壁１２ｂにブラケット４２を介してピン連結されている。
【００３４】
上記構成によれば、上記作用効果に加えて、簡易な構成でメンテナンスも容易となるという利点がある。
なお、上記各実施の形態では、シール材２４，２４Ｌ，２４Ｕを扉体１３側に設けたが、シール面１６Ｃおよびシール壁１２Ｃに設けてもよい。
【００３５】
また、流体圧シリンダ装置３３に代えて、電動モータを駆動源として採用し、これにより出力軸３４ｄを回転駆動すればよい。
さらに上記各実施の形態では、止水扉１３の上面１３ｂのうち路面部１３ｄのみ露出させて路面として使用するように構成したが、全体を露出させて路面として使用もよく、反対に、開閉蓋１８と後部閉鎖板１７により全体を覆い格納してもよい。
【００３６】
【発明の効果】
以上に述べたごとく請求項１記載の発明によれば、格納室に水平状態で格納される格納姿勢から略起立状態の使用姿勢に閉止方向に移動させる場合、止水扉を開閉軸心を中心とした円弧方向に沿って略水平状態から起立状態に変向して持ち上げるので、駆動力が小さくても容易に起動できて、水平方向から勢いを付けて使用姿勢まで持ち上げることができる。したがって、手動であっても、ある程度の大きさの止水扉まで容易に扱うことができ、たとえば手動式で止水扉の基端部を水平軸心周りに倒伏状態から起立時様態に回動して開閉する従来式の止水扉に比較して、重量のある大きな止水扉が開閉可能となる。
【００３７】
また止水扉を、路面に埋設設置された格納室内に水平状態で収容するので、保管場所が不要となり、たとえば垂直軸心周りに回動させて開閉する従来式の止水扉に比較して、コンパクトに構成することができる。
【００３８】
請求項２記載の発明によれば、開閉同調機構により、扉ガイド手段を介して開閉移動する止水扉の傾きを防止してスムーズに開閉移動させることができる。
請求項３記載の発明によれば、扉開閉駆動装置により、大型の止水扉であっても、容易に開閉移動することができ、閉動するための起動時の動力を小さくできるので、駆動源の容量も少なくて済む。
【図面の簡単な説明】
【図１】本発明に係る止水扉装置の第１の実施の形態を示し、（ａ）は開放状態を示す斜視図、（ｂ）は使用閉鎖状態を示す斜視図である。
【図２】同止水扉装置を示し、（ａ）は開放状態を示す側面断面図、（ｂ）は開放状態を示す平面図である。
【図３】同止水扉装置を示し、（ａ）は使用閉鎖状態を示す側面断面図、（ｂ）は使用閉鎖状態を示す平面図である。
【図４】同止水扉装置のロック機構を示す正面図である。
【図５】同止水扉装置の加圧シール手段を説明する概略側面図である。
【図６】同止水扉装置の設置位置を示し、（ａ）は同平面図（ｂ）は同背面図である。
【図７】本発明に係る止水扉装置の第２の実施の形態を示し、（ａ）は開放状態を示す側面断面図、（ｂ）は開放状態を示す平面図である。
【図８】同止水扉装置の変形例を示す閉止状態の側面断面図である。
【符号の説明】
Ｏ    開閉軸心
１    止水扉装置
２    河川
３    防水堤防
４    橋梁
１０    路面
１１    格納ボックス
１２    格納室
１２ａ  シール壁
１３    止水扉
１３ａ  円弧状底板
１４    出し入れ口
１５    ガイド体
１６Ａ，１６Ｂ  ガイド凹部
１６ａ，１６ｂ  ローラ走行部
１６ｃ，１６ｄ  押圧用テーパ部
１７    後部閉鎖板
１８    開閉蓋
２１ａ，２１ｂ  ガイドローラ
２２    開閉同調機構
２３    ロック機構
３１    止水扉装置
３２    開閉駆動装置
３３    シリンダ装置
３４    動力変換機構
３５    動力分配機構
３６Ｒ，３６Ｌ  扉駆動機構
４１    シリンダ装置
【図１】
0003810302.tif 000002
【図２】
0003810302.tif 000003
【図３】
0003810302.tif 000004
【図４】
0003810302.tif 000005
【図５】
0003810302.tif 000006
【図６】
0003810302.tif 000007
【図７】
0003810302.tif 000008
【図８】
0003810302.tif 000009